(57)【要約】      （修正有）【課題】コンテナ開放時に操作者が安全性を保ちながら作業が可能であり、迅速に粉粒体の排出が可能なワンタッチフレキシブルコンテナを提供する。【解決手段】可撓性シート部材からなる長形の袋本体を形成し、前記袋の頂部に充填物投入口を設け、前記袋の底部を排出口とするワンタッチフレキシブルコンテナーにおいて、前記袋の二重布部の下側部分である排出開口部材と、複数の菊割型外蓋片と、前記菊割型外蓋片の一つの内側に吊設される内蓋片と、締結紐と固定帯体が固定される固定部とを有し、前記排出開口部材が締め込まれて弾性ゴム環に挿入されて封止され、帯体が前記複数の剛性環を挿通させた帯体の先端に前記締結紐を挿通し、その先端を前部固定帯体と結紐して前記内蓋を複数の菊割型外蓋片が包持することで排出口が封止され、締結紐と固定帯体の結紐を開放することで帯体、菊割型外蓋片の緊結が緩み排出口が開放される。【選択図】図１
2005008275.tif 000002
【特許請求の範囲】
【請求項１】
可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つの内側に吊設される内蓋片と、前記菊割型外蓋片の一つに縫着された帯体と、前記二重布部に配置されて締結紐と固定帯体が固定される固定部とを有し、前記排出開口部材が締め込まれて弾性ゴム環に挿入されて封止され、その弾性ゴム環に挿入された前記排出開口部材を前記内蓋が包持し、前記帯体が前記複数の剛性環を挿通させた帯体の先端に前記締結紐を挿通し、その先端を前部固定帯体と結紐して前記内蓋を複数の菊割型外蓋片が包持することで排出口が封止され、締結紐と固定帯体の結紐を開放することで帯体、菊割型外蓋片の緊結が緩み排出口が開放されることを特徴とするワンタッチフレキシブルコンテナー。
【請求項２】
可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つに縫着された排出用ロープ固定部と、排出用ロープ固定部に接続される排出用ロープと、排出用ロープ固定部と二重布部を挿んで対称となる位置に配置されてその先端に第２剛性環が設けられる排出用ロープ第２固定部と、排出用ロープ固定部と排出用ロープ第２固定部との中間点近傍に紐部で固定されるストッパ部とを有し、前記排出開口部材が締め込まれて弾性ゴム環に挿入されて封止され、前記排出用ロープが前記複数の剛性環を挿通し、その先端を前記第２剛性環に引き解け固定し、その引き解け部にストッパ部を挿入することで結紐して前記内蓋を複数の菊割型外蓋片が包持することで排出口が封止され、ストッパ部を引き解け部から抜いて引き解け部の結紐を開放することで前記排出用ロープ、菊割型外蓋片の緊結が緩み排出口が開放されることを特徴とするワンタッチフレキシブルコンテナー。
【請求項３】
ワンタッチフレキシブルコンテナーは、前記複数の菊割型外蓋片の一つの外側に外蓋片を吊設することを特徴とする請求項１または２記載のワンタッチフレキシブルコンテナー。
【請求項４】
二重布部の内蓋片近傍に外蓋固定紐を懸吊することを特徴とする請求項１または２記載のワンタッチフレキシブルコンテナー。
【請求項５】
固定部は、その両脇から被覆可能なカバーを備えることを特徴とする請求項１乃至３いずれかに記載のワンタッチフレキシブルコンテナー。
【請求項６】
固定部は、締結紐と固定帯体とを結紐することを特徴とする請求項１に記載のワンタッチフレキシブルコンテナー。
【請求項７】
弾性ゴム環と、内蓋片と、帯体と、固定部とが袋本体中心に対して特定方向に集中して配置されることを特徴とする請求項１に記載のワンタッチフレキシブルコンテナー。
【請求項８】
一端が帯体の環状部の根本の分岐部と結束され、他端部が固定部で固定帯体と固定されている強制引抜帯が設けられている請求項１に記載のワンタッチフレキシブルコンテナー。
【発明の詳細な説明】
【技術分野】
【０００１】
本発明は、粉体、粒体、細片体等からなる各種材料の運搬に好適に使用されるフレキシブルコンテナーに係り、特に排出開口部が大型であって排出が安全で容易に行なえるフレキシブルコンテナーに関するものである。
【背景技術】
【０００２】
従来より粉体等を運搬、貯蔵する手段として低コストでかつ自重も軽いことからフレキシブルコンテナーは多数使用されると共にその改善が提案されてきた。
【０００３】
例えば、図５にも示されるように、出願人らの開発した特許文献１に記載のフレキシブルコンテナーは、フレキシブルコンテナー本体４の頂面部および底面部には、それぞれ粉粒体等の投入口と排出口５を開設し、前記投入口にフレキシブルコンテナー本体４と同質材料でしかも略等径に形成した筒型の投入路６を延設し、さらにこの投入路６の側部に緊締紐７を付設して投入口を適宜閉塞し得るよう構成されている。
【０００４】
そして、排出口５には、前記投入路６と同様にフレキシブルコンテナー本体４と同質材料で形成した筒型の排出路１０を延設し、この排出路１０の取付基部にこの排出路１０を包持する略台形状の内蓋片１４を設けると共にこの内蓋片１４の周囲に４枚の菊割型外蓋片１６を溶着等適宜の手段で配設し、さらに前記菊割形外蓋片１６のそれぞれの先端部にはループ部材２０を配設する。この場合、菊割形外蓋片１６ａ及び１６ｃに配設したループ部材２０ａおよび２０ｃは他のループ部材よりも若干長く設定すると共に菊割形外蓋片１６ｄには２つのループ部材２０ｄ，２０ｅを並設する。
【０００５】
一方、フレキシブルコンテナー本体４の外周側部には締結紐２３の一端部を溶着等の手段により固着してその他端部に係止ループ２５を設け、さらに締結紐２３の固着側に２本の締結紐３１を設ける。
【０００６】
このフレキシブルコンテナー２に粉粒体を充填するためには、フレキシブルコンテナー本体４の底部に延設した排出路１０を折畳む等の適宜の手段によりその開口部を閉塞して内蓋片１４で包み込み、次いで菊割型外蓋片１６ｃのループ部材２０ｃを対向する菊割型外蓋片１６ｂ，１６ｄのループ部材２０ｄ，２０ｂ，２０ｅに順次挿通した後このループ部材２０ｃに残余のループ部材２０ａを挿通して各ループ部材を相互に連結する。さらにこのようにして各ループ部材を連結したループ部材２０ａに締結紐２３を挿通し、この締結紐２３の係止ループ２５を締結紐３１で締結することにより袋本体１０の底部の閉塞を行なう。
【０００７】
一方、粉粒体の排出に際して、フレキシブルコンテナーを懸吊具を介して懸吊したまま貯留装置等の粉粒受容口の直上に位置させて締結状態の締結紐２３を解き、締結紐２３を下方に垂下させた後、この締結紐２３の固着側をフレキシブルコンテナー本体４の半径方向外方に引張して締結紐２３をループ部材２０ａから引き抜くと、フレキシブルコンテナー本体内部に充填した粉粒体の重量により各ループ部材２０の連結状態が解除されてそれぞれの菊割形外蓋片１６及び内蓋片１４が順次垂下し、本体内の粉粒体は排出路１０を介して排出される。
【０００８】
【特許文献１】実公昭６１−８９４０号公報（第２頁第４コラム第３行〜第２９行、図１）
【発明の開示】
【発明が解決しようとする課題】
【０００９】
上記のような構成である場合に排出部の面積が本体の断面積に対して小さいため排出時間がかかってしまう。このためにフレキシブルコンテナーの底部全面を排出口とする必要が生じていた。
【００１０】
しかし、底部全面から排出させる方式を採用した場合は、必ずしも従来の方式のようなフレキシブルコンテナーの側面で操作が可能な方式で排出することができず、排出時に排出部の締結紐２３を開放するためには操作者がフレキシブルコンテナー２の下側に潜り込み、紐を解くと共にフレキシブルコンテナー２の下側から脱出する必要が生じていた。このような状態で開放作業を行なうのは危険であり操作者に対して不安感を抱かせていた。
【００１１】
また、一方で昨今の事情を鑑みるとフレキシブルコンテナー１袋当りの収容物の排出に対して時間を掛けることはコスト上困難である。このため、特にフレキシブルコンテナーの排出時にできるだけ、簡便な操作で、短時間に排出作業が見込めるフレキシブルコンテナーの出現が望まれていた。すなわち、排出操作を行なうに当たり操作工程数が少なく操作自体が簡便である必要があった。
【００１２】
特許文献１に記載されるフレキシブルコンテナーを検討すると、開放作業が容易ではないという課題も生じていた。この締結紐２３の固着側をフレキシブルコンテナー本体４の半径方向外方に引張して締結紐２３をループ部材２０ａから引き抜く場合に、ループ部材２０ａの素材が布製品である場合に、締結紐２３とループ部材２０ａの摩擦係数が高く、必ずしも締結紐２３をループ部材２０ａから直ちに開放することができず、開放に時間がかかっていた。
【００１３】
そこで、本発明の目的は、フレキシブルコンテナーの排出時に操作者が安全性を保ちながら作業が可能で、また迅速に粉粒体の排出が可能なフレキシブルコンテナーを提供することにある。
【課題を解決するための手段】
【００１４】
出願人らは上記課題を解決すべく鋭意研究した結果、フレキシブルコンテナーの開放時に操作者が安全性を保ちながら作業が可能であり、また迅速に粉粒体の開放が可能なフレキシブルコンテナーとする構成を突き止めた。
【００１５】
本発明に係るフレキシブルコンテナーは、可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つの内側に吊設される内蓋片と、前記菊割型外蓋片の一つに縫着された帯体と、前記二重布部に配置されて締結紐と固定帯体が固定される固定部とを有し、前記排出開口部材が締め込まれて弾性ゴム環に挿入されて封止され、その弾性ゴム環に挿入された前記排出開口部材を前記内蓋が包持し、前記帯体が前記複数の剛性環を挿通させた帯体の先端に前記締結紐を挿通し、その先端を前部固定帯体と結紐して前記内蓋を複数の菊割型外蓋片が包持することで排出口が封止され、締結紐と固定帯体の結紐を開放することで帯体、菊割型外蓋片の緊結が緩み排出口が開放される。
【００１６】
また、本発明に係るフレキシブルコンテナーは、可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つに縫着された排出用ロープ固定部と、排出用ロープ固定部に接続される排出用ロープと、排出用ロープ固定部と二重布部を挿んで対称となる位置に配置されてその先端に第２剛性環が設けられる排出用ロープ第２固定部と、排出用ロープ固定部と排出用ロープ第２固定部との中間点近傍に紐部で固定されるストッパ部とを有し、前記排出開口部材が締め込まれて弾性ゴム環に挿入されて封止され、前記排出用ロープが前記複数の剛性環を挿通し、その先端を前記第２剛性環に引き解け固定し、その引き解け部にストッパ部を挿入することで結紐して前記内蓋を複数の菊割型外蓋片が包持することで排出口が封止され、ストッパ部を引き解け部から抜いて引き解け部の結紐を開放することで前記排出用ロープ、菊割型外蓋片の緊結が緩み排出口が開放されることを特徴とする
【００１７】
さらに前記複数の菊割型外蓋片の１つの外側に外蓋片を設けることができる。外蓋の存在により懸吊時の底ズレ等が生じても、菊割型外蓋片が保護されるため、移動時の摩擦による排出部の破損を生じることなく充填することが可能となる。
【００１８】
また、二重布部の内蓋片近傍に外蓋固定紐とが設けられてもよい。外蓋の固定が確実となり、外蓋の開放を防ぐことができる。
【００１９】
さらに、固定部は、その両脇に固定部を被覆可能なカバーを備えることもできる。固定部を備えることで充填時の固定部の摩擦等による不用意な開放を防止することができる。
【００２０】
そのうえ、固定部は、締結紐と固定帯体と結紐することを特徴とし、弾性ゴム環と、内蓋片と、帯体と、固定部とが袋本体の特定方向に集中することを特徴としてもよい。特定方向に集中させることで操作者の操作性を向上させるためである。
【００２１】
さらに、一端が帯体の環状部の根本の分岐部と結束され、他端部が固定部で固定帯体と固定されている強制引抜帯が設けられているのが好ましい。締結紐と固定帯体の結紐を開放しても排出口の開放が進まない場合、これを引張することにより排出口の開放が進む。
【発明の効果】
【００２２】
本発明に係るワンタッチフレキシブルコンテナーを適用することで、収容物の排出工程は、外蓋２８の開放を含めていずれも、ワンタッチフレキシブルコンテナー本体４の側面で作業可能であり、さらに、固定帯体２７と締結紐３１の結紐を開放又は、強制引抜帯３３の引張、あるいは引き解け部の結紐の開放のみという実に簡易な方法で行なうことができる。また、操作者はワンタッチフレキシブルコンテナー本体４の下部に潜りこむことなく作業ができるため操作者の安全を図ることができる。
【発明を実施するための最良の形態】
【００２３】
以下、本発明の一実施の形態は次の通りである。本発明に係るフレキシブルコンテナーは、可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つの内側に吊設される内蓋片と、前記菊割型外蓋片の一つに縫着された帯体と、前記二重布部に配置されて締結紐と固定帯体が固定される固定部とから構成される。
【００２４】
本発明の他の実施の形態は次の通りである。
【００２５】
本発明に係るフレキシブルコンテナーは、可撓性シート部材からなる長形の袋本体を形成し、前記袋の頂部に充填物投入口を設け、前記袋の底部は排出口とするワンタッチフレキシブルコンテナーにおいて、前記袋の中間部周囲に縫着される二重布部と、前記袋の前記二重布部の下側部分である排出開口部材と、前記排出開口部材の側部に吊設される弾性ゴム環と、前記二重布部下端に配設される複数の菊割型外蓋片と、前記複数の菊割型外蓋片の頂点に布部で縫着される剛性環と、前記菊割型外蓋片の一つの内側に吊設される内蓋片と、前記菊割型外蓋片の一つに縫着された排出用ロープ固定部と、排出用ロープ固定部に接続される排出用ロープと、前記二重布部に配置されて排出用ロープが引き解け固定される固定部とから構成される。
【実施例１】
【００２６】
本発明について添付の図１乃至図４より説明する。図１は、本発明に係るフレキシブルコンテナー２の側面図を示し、図２の（ａ）は上面図を示し、図２の（ｂ）は底面図を示す。
【００２７】
図１に示されるワンタッチフレキシブルコンテナー２は、粉粒体、細片体等の粒状の収容物を充填するものである。このワンタッチフレキシブルコンテナー２は、シート材を用いて略柱形状の袋状に形成したワンタッチフレキシブルコンテナー本体４の頂部に、粒状の収納物を充填する充填物投入口３を開設するとともに、ワンタッチフレキシブルコンテナー本体４の底部に、同ワンタッチフレキシブルコンテナー本体４に充填した収納物を排出するための排出口１１を設けてある。
【００２８】
充填物投入口３は、収容物を注入する部分であり、注入物を通過させると共に注入後に折畳まれて充填物投入口３を遮蔽する投入路６と、投入路６が折畳まれた後に投入路６の基部で接続されて充填物投入口３全体より大きく６角形状の板状に形成されて充填物投入口３を遮蔽する上蓋８から構成される。また、ワンタッチフレキシブルコンテナー本体４の側部上方には、ワンタッチフレキシブルコンテナー本体４を懸垂するための懸垂紐１７が３本配置されて、両端がワンタッチフレキシブルコンテナー本体４に摺動可能に装着される。
【００２９】
一方、排出口１１はワンタッチフレキシブルコンテナー２の下側部である排出開口部材１３の端部に開口して設けられる。排出開口部材１３の側面には、幅広紐で懸吊される弾性ゴム環１２が配置される。弾性ゴム環１２は、ゴム等の伸縮性を有する素材から構成される環状の紐から構成される。
【００３０】
ワンタッチフレキシブルコンテナー２の中央に周回して縫着されるのが二重布部１５である。二重布部１５は、ワンタッチフレキシブルコンテナー本体４と同一のシート材から構成される。
【００３１】
二重布部１５の下端に接してワンタッチフレキシブルコンテナー本体４の全周に配置されるのが６枚の菊割型外蓋片１６ａ〜１６ｆであり、頂点を下にして底辺でワンタッチフレキシブルコンテナー本体４に縫着される。内蓋片１４が菊割型外蓋片１６の内側にその端部が融着され、懸吊される。内蓋片１４の形状は、ワンタッチフレキシブルコンテナー本体４の断面形状により、図面では円形である。
【００３２】
菊割型外蓋片１６ａ〜１６ｆは、三角形状であり、その二重布部１５に縫着されない二斜辺が幅広布で被覆され、頂点には幅広布で固定された剛性環１８が懸吊される。剛性環１８は、剛性を有する金属または相当の強度を有する樹脂から構成される。但し、ステンレススチールが帯体の滑りやすさ、費用の点から好ましく用いられる。さらに、二重布部１５の下端に接して縫着され、内蓋片１４の懸吊された菊割型外蓋片１６ａの頂点部には、帯体２１が環状となるようにその開放側が固着される。
【００３３】
菊割型外蓋片１６ａの底辺両端の二重布部上にそれぞれ外蓋２８固定用帯紐２４，２６が懸垂される。この固定用帯紐２４，２６の中央であって二重布部上に平面ファスナを有する２枚の固定部包持用布部３０，３２が縫着される。
【００３４】
内蓋片１４に対して、ワンタッチフレキシブルコンテナー本体４を挟んで対称となる位置であって、前記菊割型外蓋片１６ｄの外側に外蓋２８の端部が融着され懸吊される。
【００３５】
図２に本発明に係るワンタッチフレキシブルコンテナーの上面図（ａ）と、底面図（ｂ）を示す。上面図（ａ）は、ワンタッチフレキシブルコンテナー本体４上に上蓋８が投入路６の基部で接続されて充填物投入口３全体より大きく６角形状の板状に形成されて充填物投入口３を遮蔽し、さらにその上に懸垂紐１７が３本配置される。
【００３６】
一方、底面図（ｂ）は、ワンタッチフレキシブルコンテナー本体４上に菊割型外蓋片１６ａ〜ｆが頂点を中心として底部を包持しており、この頂点部にある６個の剛性環１８を帯体２１が順次挿通され、さらに帯体２１に挿通される締結紐３１と帯体と直結されて強制引抜帯３３がワンタッチフレキシブルコンテナー本体４の側部へ引張されて底部が閉塞されている。
【００３７】
これら菊割型外蓋片１６ａ〜ｆ、帯体２１および締結紐３１はその上部に外蓋２８が重ねられ、包持される。この外蓋２８の裏面に留具３６，３８が縫着されて、それぞれに外蓋２８固定用帯紐２４，２６が結紐される。
【００３８】
図３に帯体２１と固定部包持用布部３０，３２について示す。菊割型外蓋片１６ａの頂点部には、帯体２１が環状となるようにその開放側が固着され、さらに締結紐３１が帯体２１の環状部の先端に挿通され、強制引抜帯３３の一端が帯体２１の環状部の根本の分岐部と結束される。締結紐３１と強制引抜帯３３は他端部で一体化されて固定帯体２７が連結される。この固定帯体２７を固定するための固定部３４が固定部包持用布部３０，３２の中央に配置される。
【００３９】
図４に、先端結合帯２９を示す。先端結合帯２９は、菊割型外蓋片１６ａと対称位置となる菊割型外蓋片１６ｄ、菊割型外蓋片１６ｅにその端部が縫着される。先端結合帯２９が設けられることで、内容物の放出時に菊割型外蓋片１６ａ〜ｆが拡がりすぎたことによる内容物の飛散の防止や放出側速度の抑制がなされる。すなわち、内容物が菊割型外蓋片１６ａ〜ｆに接触されて落下速度が低下するためである。このため、安全性の向上を図ることができる。
【００４０】
次にこのように構成した本発明に係るワンタッチフレキシブルコンテナーの使用態様につき、図１，図６，図７および図８を用いて説明する。
【００４１】
まず、粒状の収納物を充填する場合は、ワンタッチフレキシブルコンテナー本体４の底部にある排出口１１を閉塞するため排出開口部材１３の端部を束ねて２つ折とする。この排出開口部材１３の端部の２つ折りにした部分を弾性ゴム環１２に挿通させて封止させる（図６）。
【００４２】
この排出開口部材１３の端部を封止した後に、内蓋片１４が懸吊状態からワンタッチフレキシブルコンテナー本体４の底部に重ねられる。その際、弾性ゴム環に挿通した排出開口部材の端部が先端結合帯２９に挿通して係止される。
【００４３】
さらに、帯体２１を菊割型外蓋片１６ａ〜１６ｆの各剛性環１８にその順序で挿通させるとともに、菊割型外蓋片１６ａ〜１６ｆの頂点がワンタッチフレキシブルコンテナー本体４の底部中央に位置するように全菊割型外蓋片１６ａ〜１６ｆを折畳む（図７）。
【００４４】
帯体２１は、さらに締結紐３１を環状部に挿通させて菊割型外蓋片１６ａ〜１６ｆの頂部が開放されないように緊結される。
【００４５】
締結紐３１は、一端が固定帯体２７と固定されると共に、もう一端が帯体が形成する環状部に挿通した後、固定部３４に固着された固定帯体２７に結紐される。その後、固定部包持用布部３０，３２が両脇から折畳まれて、固定帯体２７と締結紐３１と強制引抜帯３３が結紐したものを包持する。この固定部包持用布部３０，３２はその両者に配設される面ファスナで固定される。
【００４６】
その後、外蓋２８が緊結された菊割型外蓋片１６ａ〜１６ｆ上へ重ねられて包持され、この外蓋２８の裏面に留具３６，３８が縫着されて、それぞれ外蓋固定用帯紐２４，２６が結紐されて、排出口１１が完全に閉塞される。
【００４７】
次いで、懸垂紐１７がフォークリフトのフォーク等で懸垂されて、この状態で、収容物の供給装置から充填物投入口３へ収容物が充填される。
【００４８】
充填後に充填物投入口３が封口されて移送が可能となる。
【００４９】
この後に、収容物の排出を行なう。まず、ワンタッチフレキシブルコンテナー２を懸垂された状態で、収容物の貯留装置の受容口の直上に配置する。
【００５０】
この状態で、外蓋２８固定用帯紐２４，２６が解かれて外蓋２８が開放される。
【００５１】
さらに、面ファスナが開放されて固定部包持用布部３０，３２が両脇に開かれて、固定帯体２７と締結紐３１の結紐を開放する（図８）。
【００５２】
開放すると、帯体２１と締結紐３１とが同時に開放されて、全菊割型外蓋片１６ａ〜１６ｆの頂部の緊結が緩む。菊割型外蓋片１６ａ〜１６ｆの頂部の緊結が緩むと、さらに自重で収容物が排出開口部材１３へ移動し、ついには菊割型外蓋片１６ａ〜１６ｆの頂部を押し開き、帯体２１が剛性環１８から全て抜ける。このため、全菊割型外蓋片１６ａ〜１６ｆが開放されて、内蓋片１４も同時に開放される。
【００５３】
その後、収容物が排出開口部材１３へ移動が更に進むため、収容物が排出開口部材１３を押し開き、この押し開きに従って排出開口部材の端部が先端結合帯２９からはずれ、さらには弾性ゴム環１２が排出開口部材１３からはずれて、収容物が貯留装置の受容口に落下する。
【００５４】
このとき、固定帯体２７と締結紐３１の結紐の開放で排出口１１の開放が進まない場合は、強制引抜帯３３を引張する。この場合、強制引抜帯３３は帯体２１根本の分岐部と結束しているため、帯体２１を菊割型外蓋片１６の剛性環１８から強制的に解かれる。このため、排出開口部材１３の開放が促進される。
【実施例２】
【００５５】
図９に本発明に係る第２の実施例であるワンタッチフレキシブルコンテナー５２の下部側面図を示し、図１０に封止時の側面図を示し、図１１に封止時の底面図を示す。
【００５６】
本ワンタッチフレキシブルコンテナー５２は、図示しないが上部については実施例１に示すワンタッチフレキシブルコンテナー２と同様の構成であり、その特徴である下部について示す。このワンタッチフレキシブルコンテナー５２の排出口６１はワンタッチフレキシブルコンテナー５２の下側部である排出開口部材６３の端部に開口して設けられる。排出開口部材６３の側面には、幅広紐で懸吊される弾性ゴム環６２が配置される。弾性ゴム環６２は、弾性ゴム環１２同様にゴム等の伸縮性を有する素材から構成される環状の紐から構成される。
【００５７】
ワンタッチフレキシブルコンテナー５２の中央に周回して縫着されるのが二重布部６５である。二重布部６５は、ワンタッチフレキシブルコンテナー本体５４と同一のシート材から構成される。
【００５８】
二重布部６５の下端に接してワンタッチフレキシブルコンテナー本体５４の全周に配置されるのが６枚の菊割型外蓋片６６ａ〜６６ｆであり、頂点を下にして底辺でワンタッチフレキシブルコンテナー本体５４に縫着される。
【００５９】
菊割型外蓋片６６ａ〜６６ｆは、三角形状であり、その二重布部６５に縫着されない二斜辺が幅広布で被覆され、頂点には幅広布で固定された剛性環６８ａ〜６８ｆが懸吊される。剛性環６８ａ〜６８ｆは、剛性を有する金属または相当の強度を有する樹脂から構成される。但し、ステンレススチールが帯体の滑りやすさ、費用の点から好ましく用いられる。さらに、二重布部６５の下端に接して縫着され、菊割型外蓋片６６ａの頂点部近傍には、排出用ロープ固定部である排出用ロープ固定フック７０が縫着される。この排出用ロープ固定フック７０の一端が菊割型外蓋片６６ａの頂点部近傍に縫着され、他端は環状部が形成され排出用ロープ７１が締結固定される。
【００６０】
菊割型外蓋片６６ａの底辺両端の二重布部６５上にそれぞれ外蓋固定用帯紐７４，７６が懸垂される。この固定用帯紐７４，７６の中央であって二重布部上に平面ファスナを有する２枚の固定部包持用布部８０，８２が縫着される。
【００６１】
菊割型外蓋片６６ａに対して、ワンタッチフレキシブルコンテナー本体５４を挟んで対称となる位置であって、前記菊割型外蓋片６６ｄの外側に外蓋７８（図示していない）の端部が融着され懸吊される。
【００６２】
排出用ロープ固定フック７０に対して、二重布部６５を挟んで対称となる位置であって、固定部包持用布部８０，８２近傍に排出用ロープ第２固定部である排出用ロープ結束フックベルト８３が縫着され、縫着される端部と反対側端部に第２剛性環である金属製の環部８４が懸吊される。環部８４も、剛性を有する金属または相当の強度を有する樹脂から構成される。但し、ステンレススチールが帯体の滑りやすさ、費用の点から好ましく用いられる。
【００６３】
さらに固定部包持用布部８０と固定部包持用布部８２の中央にストッパとしてカラビナ９４が細紐９２を介して二重布部６５に縫着される。カラビナ９４を用いることで強度と外し易さの両方を兼ね備えることができる。その他、開閉可能な金属製環や樹脂製環を利用することができる。
【００６４】
続いて、図１０、１１を用いて、本発明に係る実施例２の作用について説明する。図１１に本発明に係るワンタッチフレキシブルコンテナーの底面図を示す。底面図は、ワンタッチフレキシブルコンテナー本体５４上に菊割型外蓋片６６ａ〜ｆが頂点を中心として底部を包持しており、この頂点部にある６個の剛性環６８ａ〜６８ｆを排出用ロープ７１が順次挿通され、さらに排出用ロープ７１がワンタッチフレキシブルコンテナー本体５４の側部へ引張されて底部が閉塞されている。
【００６５】
これら菊割型外蓋片６６ａ〜ｆ、排出用ロープ７１はその上部に外蓋７８が重ねられ、包持される。この外蓋７８の裏面に留具８６，８８（図示していない）が縫着されて、それぞれに固定用帯紐７４，７６が結紐される。
【００６６】
図１０に排出用ロープ７１と排出用ロープ結束フックベルト８３について示す。ワンタッチフレキシブルコンテナー本体５４の底部を閉塞した排出用ロープ７１は、本体５４の側面に縫着される排出用ロープ結束フックベルト８３に引き解け結びで固定される。この引き解け結びで作製された排出用ロープ７１の環状部に細紐９２で締結されるカラビナ９４が挿通されて、引き解け結びの端部が作業者の意図に反して引張されても引き解けされぬようにスットパとしての役割を果たしている。排出用ロープ７１がカラビナ９４によるスットパとしての挿通後に固定部包持用布部８０と固定部包持用布部８２とが重ね合わせられる。この固定部包持用布部８０と固定部包持用布部８２によって、排出用ロープ７１端部が保護されて輸送時の摩擦等による磨耗等を防止することができる。さらに、外蓋７８がワンタッチフレキシブルコンテナー本体５４の底部を被覆するように折りたたまれて、外蓋７８の端部にある留具８６，８８と固定用帯紐７４，７６とが結紐されて本体底部５４が保護される。
【００６７】
一方、開放時は、留具８６，８８と固定用帯紐７４，７６の結紐を開放し、固定部包持用布部８０と固定部包持用布部８２を開く。
【００６８】
さらにカラビナ９４を排出用ロープ７１を開放して、引き解け結びの端部を引張すると、ワンタッチフレキシブルコンテナー内部の自重で排出開口部材６３と菊割型外蓋片６６ａ〜ｆとが押圧されて、剛性環６８ａ〜６８ｆから排出用ロープ７１が開放されて、ワンタッチフレキシブルコンテナーの下側に内部品が放出される。
【００６９】
以上本発明の好適な実施例について説明をしたが、本発明は前記実施例に限定されることなく、その精神を逸脱しない範囲内において多くの設計変更が可能である。例えば、本実施例ではワンタッチフレキシブルコンテナーの形状を円柱形状としたが、直方体や多角形状とすることは設計変更の一つに過ぎず、その際は内蓋及び外蓋の形状を四角形や多角形とすることができる。
【産業上の利用可能性】
【００７０】
本発明に係るワンタッチフレキシブルコンテナーは、６００ｋｇ〜１ｔものコメ・肥料などを入れることのできる大きな袋状コンテナとして、フレキシブルコンテナー使用による物流合理化および低コスト化を図ることができる。特に大量の充填物を危険な環境で開放する場合など、側面からワンタッチで開放可能であるため、様々な場面で使用することができる。
【図面の簡単な説明】
【００７１】
【図１】本発明に係るワンタッチフレキシブルコンテナーの側面図である。
【図２】本発明に係るワンタッチフレキシブルコンテナーの（ａ）は上面図を示し、（ｂ）は底面図を示す。
【図３】本発明に係るワンタッチフレキシブルコンテナーの帯体と固定部包持用布部の構成図を示す。
【図４】本発明に係るワンタッチフレキシブルコンテナーの先端結合帯の構成図を示す。
【図５】従来のフレキシブルコンテナーの構成図を示す。
【図６】本発明に係るワンタッチフレキシブルコンテナーの使用において弾性ゴム環に挿通させて封止する態様を示す。
【図７】本発明に係るワンタッチフレキシブルコンテナーの使用において帯体を菊割型外蓋片の各剛性環に挿通させる態様を示す。
【図８】本発明に係るワンタッチフレキシブルコンテナーの使用において固定帯体２７と締結紐３１の結紐を開放する態様を示す。
【図９】本発明に係るワンタッチフレキシブルコンテナーの実施例２の側面図である。
【図１０】本発明に係るワンタッチフレキシブルコンテナーの実施例２の側面の拡大図である。
【図１１】本発明に係るワンタッチフレキシブルコンテナーの実施例２の底面図を示す。
【符号の説明】
【００７２】
２  ワンタッチフレキシブルコンテナー
３  充填物投入口
４  ワンタッチフレキシブルコンテナー本体
５  排出口
６  投入路
７  緊締紐
８  上蓋
１０  排出路
１１  排出口
１２  弾性ゴム環
１３  排出開口部材
１４  内蓋片
１５  二重布部
１６ａ，１６ｂ，１６ｃ，１６ｄ，１６ｅ，１６ｆ  菊割型外蓋片
１７  懸垂紐
１８  剛性環
２０ａ，２０ｂ，２０ｃ，２０ｄ，２０ｅ  ループ部材
２１  帯体
２３  締結紐
２５  係止ループ
２４，２６  固定用帯紐
２７  固定帯体
２８  外蓋
２９  先端結合帯
３０，３２  固定部包持用布部
３１  締結紐
３３  強制引抜帯
３４  固定部
３６，３８  留具
３９  懸垂環
４０  懸垂紐
５２  ワンタッチフレキシブルコンテナー
６１  排出口
６３  排出開口部材
６２  弾性ゴム環
６５  二重布部
６６ａ〜６６ｆ  菊割型外蓋片
６８ａ〜６８ｆ  剛性環
７０  排出用ロープ固定フック
７１  排出用ロープ
７４，７６  外蓋固定用帯紐
７８  外蓋
８０，８２  固定部包持用布部
８３  排出用ロープ結束フックベルト
８４  環部
８６，８８  留具
９２  細紐
９４  カラビナ
【図１】
2005008275.tif 000003
【図２】
2005008275.tif 000004
【図３】
2005008275.tif 000005
【図４】
2005008275.tif 000006
【図５】
2005008275.tif 000007
【図６】
2005008275.tif 000008
【図７】
2005008275.tif 000009
【図８】
2005008275.tif 000010
【図９】
2005008275.tif 000011
【図１０】
2005008275.tif 000012
【図１１】
2005008275.tif 000013